(57)【要約】【課題】吸込まれた室内の空気に対し、オゾン発生器から均一にオゾンを放出することのできる空気清浄機を提供する。【解決手段】本体の上部に沿面放電式によるオゾン発生器１１を設け、同オゾン発生器１１に、左右方向に複数配設された縦状パイプと、同縦状パイプの上部と中央部及び下部とを夫々連結する横状パイプとからなる所謂格子戸状に形成されたオゾン拡散パイプ１４を接続し、同オゾン拡散パイプ１４を吸込口４の裏面に配設された集塵フィルタ７と脱臭フィルタ８との間に設ける。【選択図】　図１
2004057253.tif 000002
【特許請求の範囲】
【請求項１】
本体の前面側に吸込口を、上面側に吹出口を夫々設け、前記本体内部を吸入孔を穿設した仕切板により前後に区画し、前部区画に、前面側から集塵フィルターと脱臭フィルターとを順次配設し、後部区画に、前記本体の背面内壁に支持されたファンモータと、同ファンモータにより駆動される前記吸入孔に臨んだ送風ファンを設け、前記本体内に、電源部と、同電源部から供給される高電圧により沿面放電を行いオゾンを発生させるオゾン発生器を設ける一方、前記集塵フィルターと前記脱臭フィルターとの間に、横状パイプと同横状パイプから分岐し上下方向に複数の放出孔を穿設した複数の縦状パイプとで構成され、前記オゾン発生器に前記横状パイプを連通させたオゾン拡散パイプを設けてなり、
沿面放電により前記オゾン発生器で発生したオゾンを、前記オゾン拡散パイプの前記横状パイプから複数の前記縦状パイプに導びき前記放出孔から周囲に放出して、前記吸込口から吸込まれた空気に含有される臭気成分を分解処理してなることを特徴としてなる空気清浄機。
【請求項２】
前記放出孔が、前記縦状パイプに左右一対となるようにスリット状に穿設されてなることを特徴とする請求項１に記載の空気清浄機。
【請求項３】
前記放出孔が、下方にいくに従い、その個数と、開口部の上下幅が暫時増加してなることを特徴とする請求項１または請求項２に記載の空気清浄機。
【請求項４】
前記オゾン発生器を構成するケースに、前記送風ファン側に臨んで、同送風ファンから送出された空気が流入する流入口を穿設してなることを特徴とする請求項１に記載の空気清浄機。
【請求項５】
前記脱臭フィルターが、活性炭あるいは二酸化マンガン等から生成されるオゾン分解触媒からなり、同オゾン分解触媒が前記オゾン拡散パイプから放出されたオゾンを分解処理してなることを特徴とする請求項１に記載の空気清浄機。
【請求項６】
前記脱臭フィルターが、前記オゾン発生器により副次的に発生した微量の窒素酸化物を吸収してなることを特徴とする請求項５に記載の空気清浄機。
【発明の詳細な説明】
【０００１】
【発明の属する技術分野】
本発明は、空気清浄機に関わり、より詳細には、沿面放電式のオゾン発生器を内蔵した構成に関する。
【０００２】
【従来の技術】
従来の空気清浄機は、例えば図３で示すように、本体の前面に吸込口３０を、上面に吹出口３１を設け、本体の中央部を吸入孔３２ａを穿設した仕切板３２により前後に区画している。前記吸込口３０の裏面にはフィルタ部とオゾン発生器とが設けられ、前記本体の背面内壁には前記仕切板３２の前記吸入孔３２ａに臨んで、ファンモータ３４により駆動される送風ファン３３が設けられている。室内の空気は前記吸込口３０から吸込まれ塵埃を除去される一方、脱臭されて、その後前記送風ファン３３により前記吹出口３１から再び室内に送出されるようになっている。
【０００３】
前記フィルタ部は、前記吸込口３０に臨ませた集塵フィルタ３５と、その後方に設けられた脱臭フィルタ３６とからなり、オゾン発生器３７は、これら集塵フィルタ３５と脱臭フィルタ３６とに挟持されるように設けられている。同オゾン発生器３７は上下両端に設けられた電極と、同電極間に張設された放電線あるいは一方の電極から突出させた放電針からなり、電極から印加された高電圧を吸込まれた空気に対し放電し、オゾンを発生させるようになっている。
【０００４】
しかしながら、前記オゾン発生器３７に設けられた放電線あるいは放電針は高圧が印加されるため塵埃が付着しやすく、定期的に清掃作業を行わないと付着した塵埃に遮られて放電量が低下し、オゾン発生量の減少とともに脱臭能力が低下するという問題があった。また、空気の流れる範囲に対しオゾン発生器３７から均一にオゾンを発生させることは難しく、均一な脱臭処理を行うことができなかった。
【０００５】
【発明が解決しようとする課題】
本発明は上記問題点に鑑み、オゾン発生器のメンテナンス作業が容易に行えるとともに、吸込口から吸込まれた空気に対し、オゾンを均一に発生させて脱臭機能の効率を向上させた空気清浄機を提供することを目的とする。
【０００６】
【課題を解決するための手段】
本発明は上記課題を解決するため、本体の前面側に吸込口を、上面側に吹出口を夫々設け、前記本体内部を吸入孔を穿設した仕切板により前後に区画し、前部区画に、前面側から集塵フィルターと脱臭フィルターとを順次配設し、後部区画に、前記本体の背面内壁に支持されたファンモータと、同ファンモータにより駆動される前記吸入孔に臨んだ送風ファンを設け、前記本体内に、電源部と、同電源部から供給される高電圧により沿面放電を行いオゾンを発生させるオゾン発生器を設ける一方、前記集塵フィルターと前記脱臭フィルターとの間に、横状パイプと同横状パイプから分岐し上下方向に複数の放出孔を穿設した複数の縦状パイプとで構成され、前記オゾン発生器に前記横状パイプを連通させたオゾン拡散パイプを設けてなり、
沿面放電により前記オゾン発生器で発生したオゾンを、前記オゾン拡散パイプの前記横状パイプから複数の前記縦状パイプに導びき前記放出孔から周囲に放出して、前記吸込口から吸込まれた空気に含有される臭気成分を分解処理してなる構成となっている。
【０００７】
また、前記放出孔が、前記縦状パイプに左右一対となるようにスリット状に穿設されてなる構成となっている。
【０００８】
また、前記放出孔が、下方にいくに従い、その個数と、開口部の上下幅が暫時増加してなる構成となっている。
【０００９】
また、前記オゾン発生器を構成するケースに、前記送風ファン側に臨んで、同送風ファンから送出された空気が流入する流入口を穿設してなる構成となっている。
【００１０】
また、前記脱臭フィルターが、活性炭あるいは二酸化マンガン等から生成されるオゾン分解触媒からなり、同オゾン分解触媒が前記オゾン拡散パイプから放出されたオゾンを分解処理してなる構成となっている。
【００１１】
また、前記脱臭フィルターが、前記オゾン発生器により副次的に発生した微量の窒素酸化物を吸収してなる構成となっている。
【００１２】
【発明の実施の形態】
以下、本発明の実施の形態を、添付図面に基づいた実施例として詳細に説明する。
図１は本発明による空気清浄機を示す断面図であり、図２（Ａ）はオゾン発生器と、同オゾン発生器に接続されたオゾン拡散パイプを示す正面図であり、図２（Ｂ）は同オゾン拡散パイプに穿設されたスリット状の放出孔を示す斜視図である。
本発明による空気清浄機は、前面が開放されたリアパネル１と、後面が開放され前記リアパネル１の前面に装着されるフロントパネル２とで本体を構成し、同本体内を吸入孔３ａを穿設した仕切板３により前後に区画している。また本体の前面には、上下に形成された横桟からなる吸込口４が設けられ、上面には同様に複数の横桟からなる吹出口５が設けられている。
【００１３】
前記仕切板３により区画された前部区画には、前記吸込口４の裏面から、集塵フィルタ７と、脱臭フィルタ８とが順次配設され、前記仕切板３により区画された後部区画には、前記リアパネル１の背面内壁に支持されたファンモータと、同ファンモータにより駆動される、前記吸入孔３ａに臨んだ送風ファン９が設けられている。また、本体の前面上部には、高電圧を供給する電源部１０が配設されており、その後方には同電源部１０と接続された沿面放電式のオゾン発生器１１が設けられている。
【００１４】
前記オゾン発生器１１は、図１で示すように、背面側に流入口１２ａを、下面に流出口１２ｂを穿設したケース１２と、同ケース１２の内部に配設された誘電体板１３とからなり、同誘電体板１３は前記電源部１０と電気的に接続されるとともに、図２（Ａ）で示すように、その表面に導電性部材からなり、相対向する櫛型状の一対の沿面電極１３ａ及び１３ｂをスクリーン印刷により形成している。また、前記ケース１２の背面側に穿設された流入口１２ａにより前記送風ファン９から送出された空気が、前記本体上面の吹出口６に向かうとともに、前記流入口１２ａから前記ケース１２内に流入するようになっている。
【００１５】
前記電源部１０から前記誘電体板１３の沿面電極１３ａ及び１３ｂのいずれかに高電圧が印加されると、相対向する沿面電極誘１３ａ及び１３ｂの間にアーチ状の沿面放電が発生し、同沿面放電により前記ケース１２内の空気中の酸素がオゾンに変換されるようになっている。
【００１６】
前記集塵フィルター７と前記脱臭フィルター８との間には、前記オゾン発生器１１と連通したオゾン拡散パイプ１４が設けられており、同オゾン拡散パイプ１４は、図２（Ａ）で示すように、上部横状パイプ１５ａと、同上部横状パイプ１５ａから下方に分岐する複数の縦状パイプ１６と、同縦状パイプ１６を補強するために設けられた、これらの中央部を連結する中央横状パイプ１５ｂと、下部を連結する下部横状パイプ１５ｃとからなる所謂格子戸状に形成されており、前記上部横状パイプ１５ａは、前記オゾン発生器１１を構成する前記ケース１２の下面に穿設された流出口１２ｂと接続されている。
【００１７】
また、前記オゾン拡散パイプ１４の縦状パイプ１６には、図２（ｂ）で示すように、左右一対にスリット状の放出孔１６ａが上下方向に連設され、また同放出孔１６ａは下方に行くに従い、その個数とともに、上下方向の開口幅が暫時増加するようになっている。
【００１８】
前記脱臭フィルター８は、活性炭あるいは二酸化マンガン等から生成されるオゾン分解触媒からなり、活性炭からなるオゾン分解触媒は前記吸込口４から吸込まれた空気中に含有される臭気成分を吸着する一方、前記オゾン拡散パイプ１４から放出され、臭気成分を分解したオゾンを無害な成分に分解処理するようになっている。二酸化マンガンからなるオゾン分解触媒は空気中に含有される臭気成分とともに前記オゾン拡散パイプ１４から放出されたオゾンを分解処理するようになっている。また、これらオゾン分解触媒は、前記オゾン発生器１１がオゾンを発生させる際、副次的に発生する微量の窒素酸化物も吸収するようになっている。
【００１９】
次に、上記した空気清浄機の動作について説明する。前記電源部１０から前記オゾン発生器１１の誘電体板１３に対し高電圧が印加されると、沿面電極１３ａと１３ｂとの間にアーチ状の沿面放電が発生し、前記ケース１２内部にオゾンが発生する。発生したオゾンは前記ケース１２の下面に設けられた前記流出口１２ｂを介して前記オゾン拡散パイプ１４内に流入し、前記上部横状パイプ１５ａにより左右に拡散する一方、これから分岐する複数の前記縦状パイプ１６内に流入する。流入したオゾンは同縦状パイプ１６内を下降するに従い、前記スリット状の放出孔１６ａから周囲に暫時放出され、流路内を流れる空気に含まれる臭気成分を酸化分解するようになっている。また、上記したように、前記放出孔１６ａは下方に行くに従いその個数とともに上下方向の開口幅が増加するようになっており、オゾンは前記オゾン拡散パイプ１４の上下方向及び左右方向の範囲内で均一に放出されるようになっている。
【００２０】
前記吸込口４から吸込まれた室内の空気は、前記集塵フィルタ７により含有する塵埃を除去され、続いて前記オゾン拡散パイプ１４の周囲を通過する。同オゾン拡散パイプ１４の周囲を通過する際、放出されたオゾンにより含有する臭気成分を酸化分解され、更に、前記オゾン拡散パイプ１４の後方に配設された前記脱臭フィルタ８により除去しきれなかった臭気成分を捕獲されるとともに、同脱臭フィルター８により前記オゾン拡散パイプから放出されたオゾンは、通常の酸素成分に変換されるようになっている。
【００２１】
塵埃と臭気成分を除去された空気は、前記仕切板３に穿設された前記吸入孔３ａから本体の後方部に流入し、前記送風ファン９により付勢されて本体の上面に設けられた前記吹出口５から室内に送出される。またその一部は前記オゾン発生器１１のケース１２に穿設された流入口１２ａから、同ケース１２内に流入し、前記誘電体板１３から発生する沿面放電により再びオゾンに変換されるようになっている。
【００２２】
【発明の効果】
以上説明したように、本発明によると、本体の上部に沿面放電式によるオゾン発生器を設け、同オゾン発生器に、複数配設された縦状パイプと、横状パイプとからなる所謂格子戸状に形成されたオゾン拡散パイプを連結することにより、吸込口から吸込まれた空気に対し、均一にオゾンを放出して含有される臭気成分を分解し、所謂脱臭効果を向上させた空気清浄機とすることができる。
【図面の簡単な説明】
【図１】本発明による空気清浄機を示す断面図である。
【図２】（Ａ）はオゾン発生器と、同オゾン発生器に連結されたオゾン拡散パイプを示す正面図である。
（Ｂ）はオゾン拡散パイプに穿設された放出孔を示す要部斜視図である。
【図３】従来の空気清浄機の一例を示す断面図である。
【符号の説明】
１　リアパネル
２　フロントパネル
３　仕切板
３ａ　吸入孔
４　吸込口
５　吹出口
７　集塵フィルタ
８　脱臭フィルタ
９　送風ファン
１０　電源部
１１　オゾン発生器
１２　ケース
１２ａ　流入口
１２ｂ　流出口
１３　誘電体板
１３ａ　沿面電極
１３ｂ　沿面電極
１４　オゾン拡散パイプ
１５ａ　上部横状パイプ
１５ｂ　中央横状パイプ
１５ｃ　下部横状パイプ
１６　縦状パイプ
１６ａ　放出孔
【図１】
2004057253.tif 000003
【図２】
2004057253.tif 000004
【図３】
2004057253.tif 000005